Podtech/llm-jp-corpus-v4-ja_patent huggingface dataset:
【手続補正書】
【提出日】平成20年6月10日(2008.6.10)
【手続補正１】
【補正対象書類名】特許請求の範囲
【補正対象項目名】全文
【補正方法】変更
【補正の内容】
【特許請求の範囲】
【請求項１】
少なくとも１種のモノマーが重合されてポリマー粒子を形成する連続運転重合反応器からポリマーを排出する方法であって、アクチュエータに連結されているピストン要素を有するピストンバルブによってポリマー粒子の排出速度を調節することを含み、前記アクチュエータは前記ピストンバルブ内部でのピストンストロークを調整することができることを特徴とする方法。
【請求項２】
前記ピストンバルブは、
バルブ本体及び前記バルブ本体内部でスライド可能なピストン要素；
排出導管；及び
前記排出導管の入口を形成する特定形状のオリフィス
を具備する、請求項１に記載の方法。
【請求項３】
前記ピストンバルブは、前記重合反応器の壁上に直接フランジ取り付けされている、請求項１又は２に記載の方法。
【請求項４】
位置A（反応器壁とのピストン端部Eの完全な整合）と位置B（ピストン端部Eが前記特定形状オリフィスを露出し始める）との間に構成されるピストンストロークの第１部分ABにおいて、前記ピストンのストロークが前記アクチュエータの作動により調整されない、請求項１〜３のいずれかに記載の方法。
【請求項５】
前記位置Bと位置C（ピストン端部Eが特定形状オリフィスを総合的に逸脱する）との間に構成されるピストンストロークの第２部分BCにおいて、前記ピストンストロークは前記アクチュエータの作動により調整される、請求項１〜４のいずれかに記載の方法。
【請求項６】
前記アクチュエータは、バルブポジショナーと関連する、請求項１〜５のいずれかに記載の方法。
【請求項７】
前記連続運転重合反応器はスラリーループ反応器である、請求項１〜６のいずれかに記載の方法。
【請求項８】
連続運転重合反応器からポリマーを排出するための装置であって、
前記重合反応器の壁上に又はその近接端部にフランジ取り付けされていて、バルブ本体内部でスライド可能なピストン要素を有するピストンバルブと；
前記ピストン要素に連結されていて、バルブ本体内部で前記ピストン要素のストロークを調整可能なアクチュエータと；
前記アクチュエータに関連するバルブポジショナーと；
を具備する装置。
【請求項９】
前記ピストンバルブは、バルブ本体内部に挿入されているスリーブをさらに具備する、請求項８に記載の装置。
【請求項１０】
前記ピストンバルブは、バルブ軸について30度〜90度の角度を形成する排出導管をさらに具備する、請求項８又は９に記載の装置。
【請求項１１】
前記ピストンバルブは、前記スリーブと前記排出導管との間の交点に形成されている特定形状オリフィスをさらに具備する、請求項８〜１０のいずれかに記載の装置。
【手続補正書】
【提出日】平成20年7月1日(2008.7.1)
【手続補正１】
【補正対象書類名】特許請求の範囲
【補正対象項目名】全文
【補正方法】変更
【補正の内容】
【特許請求の範囲】
【請求項１】
処置を必要とする対象において少なくとも１つの神経系障害又は状態を処置するための方法であって、該対象へ有効量のラセミ１−（３，４−ジクロロフェニル）−３−アザビシクロ［３．１．０］ヘキサン、ラセミ１−（４−メチルフェニル）−３−アザビシクロ［３．１．０］ヘキサン又はその医薬上許容される塩を含有する組成物を投与する工程を含み；ここで、該神経系障害又は状態が、血管運動症状、性的刺激及び衝動、線維筋痛、慢性疲労、視床下部性無月経、慢性疼痛、老年性認知症関連認知機能障害、記憶喪失、アルツハイマー病、健忘症、自閉症、シャイ・ドレーガー症候群、レイノー症候群及びその関連疼痛、レノックス症候群、脳血管疾患関連知的障害、統合失調症、統合失調性感情障害、統合失調症様障害、睡眠障害、月経前不機嫌性障害、選択的セロトニン再取り込み阻害（ＳＳＲＩ）疲労症候群、広場恐怖症、境界性人格障害、便失禁、意識障害、昏睡、言語障害又はそれらの組み合わせである、方法。
【請求項２】
該組成物がさらに少なくとも１つのアドレナリンα２受容体アンタゴニストを含むものである、請求項１記載の方法。
【請求項３】
該組成物がラセミ１−（３，４−ジクロロフェニル）−３−アザビシクロ［３．１．０］ヘキサン又はその医薬上許容される塩を含有するものである、請求項１又は請求項２記載の方法。
【請求項４】
該組成物がラセミ１−（４−メチルフェニル）−３−アザビシクロ［３．１．０］ヘキサン又はその医薬上許容される塩を含有するものである、請求項１又は請求項２記載の方法。
【請求項５】
該神経系障害又は状態が血管運動症状である、前記請求項いずれか１項に記載の方法。
【請求項６】
該血管運動症状が体熱感である、請求項５記載の方法。
【請求項７】
該対象がヒトである、前記請求項いずれか１項に記載の方法。
【請求項８】
該ヒトが女性である、請求項７記載の方法。
【請求項９】
該女性が閉経期前である、請求項８記載の方法。
【請求項１０】
該女性が閉経周辺期である、請求項８記載の方法。
【請求項１１】
該女性が閉経期後である、請求項８記載の方法。
【請求項１２】
該ヒトが男性である、請求項７記載の方法。
【請求項１３】
該男性が自然的、化学的又は手術的に男性更年期である、請求項１２記載の方法。
【請求項１４】
該神経系障害又は状態が慢性疼痛である、請求項１〜４いずれか１項に記載の方法。
【請求項１５】
該神経系障害又は状態が神経因性疼痛である、請求項１４記載の方法。
【請求項１６】
処置を必要とする対象における少なくとも１つの神経系障害又は状態の処置のための医薬の調製におけるラセミ１−（３，４−ジクロロフェニル）−３−アザビシクロ［３．１．０］ヘキサン、ラセミ１−（４−メチルフェニル）−３−アザビシクロ［３．１．０］ヘキサン又はその医薬上許容される塩の使用であって、ここで、該神経系障害又は状態が、血管運動症状、性的刺激及び衝動、線維筋痛、慢性疲労、視床下部性無月経、慢性疼痛、老年性認知症関連認知機能障害、記憶喪失、アルツハイマー病、健忘症、自閉症、シャイ・ドレーガー症候群、レイノー症候群及びその関連疼痛、レノックス症候群、脳血管疾患関連知的障害、統合失調症、統合失調性感情障害、統合失調症様障害、睡眠障害、月経前不機嫌性障害、選択的セロトニン再取り込み阻害（ＳＳＲＩ）疲労症候群、広場恐怖症、境界性人格障害、便失禁、意識障害、昏睡、言語障害又はそれらの組み合わせである、使用。
【請求項１７】
有効量のラセミ１−（３，４−ジクロロフェニル）−３−アザビシクロ［３．１．０］ヘキサン、ラセミ１−（４−メチルフェニル）−３−アザビシクロ［３．１．０］ヘキサン又はその医薬上許容される塩を含有し、少なくとも１つのアドレナリンα２受容体アンタゴニストをさらに含有する組成物。
【手続補正書】
【提出日】平成20年7月7日(2008.7.7)
【手続補正１】
【補正対象書類名】特許請求の範囲
【補正対象項目名】全文
【補正方法】変更
【補正の内容】
【特許請求の範囲】
【請求項１】
ａ. ラセミ体のキラル１,１'−スピロビインダン−６,６'−ジオール誘導体を供給すること、
ｂ．非ラセミ体のキラル成分を前記ラセミ体のキラル１,１'−スピロビインダン−６,６'−ジオール誘導体と反応させて、ジアステレオマージエステルの混合物を得ること、
ｃ．前記ジアステレオマージエステルの混合物を分離して、実質的に純粋な個々のジアステレオマージエステルを得ること、そして
ｄ．前記実質的に純粋な個々のジアステレオマージエステルからそのエステル基を化学的に除去して、非ラセミ体のキラル１,１'−スピロビインダン−６,６'−ジオール誘導体を得ること、
を含む１,１'−スピロビインダン−６,６'−ジオール誘導体の鏡像異性体の化学的分離方法。
【請求項２】
前記１,１'−スピロビインダン−６,６'−ジオール誘導体が、以下の構造２：
【化１】
2008507516.tif 000001
式中、
Ｒ1、Ｒ2、Ｒ3及びＲ4は、独立して、水素、又は炭素置換基であり、
Ｘは、独立して、置換基を表し、
ｎは、独立して、整数０〜３を表し、そして、
置換基Ｒ1、Ｒ2、Ｒ3、Ｒ4及びＸは、環を形成してもよい、
により示される、請求項１に記載の方法。
【請求項３】
前記ジアステレオマージエステルが、以下の構造３：
【化２】
2008507516.tif 000002
式中、
Ｒ1、Ｒ2、Ｒ3及びＲ4は、独立して、水素、又は炭素置換基であり、
Ｘは、独立して、置換基を表し、
ｎは、独立して、整数０〜３を表し、
ここで、置換基Ｒ1、Ｒ2、Ｒ3、Ｒ4及びＸは、環を形成してもよく、ＲEは、キラルの、実質的に鏡像関係にある純粋な基を表し、そして
ｍは、０か１である、
により表される、請求項１に記載の方法。
【手続補正書】
【提出日】平成20年7月10日(2008.7.10)
【手続補正１】
【補正対象書類名】特許請求の範囲
【補正対象項目名】全文
【補正方法】変更
【補正の内容】
【特許請求の範囲】
【請求項１】
（Ｓ）−（３−ピリジンカルボキサミド，６−［４−［２−［［３−（９Ｈ−カルバゾール−４−イルオキシ）−２−ヒドロキシプロピル］アミノ］−２−メチルプロピル］フェノキシ］）−ヘミ−コハク酸塩の結晶質の不定比水和物であって、前記水和物の含水量が２２±５℃及び１０〜８０％の相対湿度において測定したとき、６〜１１重量％であり；エタノールが１重量％以下にて存在し；前記水和物が２θにて７．６±０．１、８．０±０．１、８．８±０．１、１１．０±０．１、１３．１±０．１、１３．３±０．１、１３．８±０．１、１５．３±０．１及び１５．５±０．１°のピークを含むＸ線回折パターンを有し；該パターンが、銅放射線源（ＣｕＫα；λ＝１．５４０５６Å）を用いて２０〜２５℃、２５〜３０％の相対湿度（ＲＨ）にて得られる、結晶質不定比水和物。
【請求項２】
含水量が７．５〜１１％である、請求項１に記載の水和物。
【請求項３】
水和物がデータ収集前に３３％のＲ．Ｈ．において平衡化されたとき、５９．８±０．１、１１１．４±０．１及び１５１．４±０．１ｐｐｍの化学シフトにおいてピークを含む固体状態１３Ｃ核磁気共鳴スペクトルを有する、請求項１に記載の水和物。
【請求項４】
９９．２±０．１、１０２．４±０．１、１３４．９±０．１、１４６．９±０．１及び１４９．２±０．１ｐｐｍの化学シフトにおいてピークを更に含む固体状態１３Ｃ核磁気共鳴スペクトルを有する、請求項３に記載の水和物。
【請求項５】
化学的不純物の存在量が２重量％未満である、請求項１〜４のいずれかに記載の水和物。
【請求項６】
有効量の請求項１〜５のいずれかに記載の水和物と薬理学的な担体とを含む、医薬組成物。
【請求項７】
水和物を１〜６００ｍｇ含有する、請求項６に記載の医薬組成物。
【請求項８】
人体を治療的に処置する方法において使用するための、請求項１〜５のいずれかに記載の水和物又は請求項６若しくは７に記載の組成物。
【請求項９】
肥満症又は２型糖尿病の治療用医薬品を製造するための、請求項１〜５のいずれかに記載の水和物又は請求項６若しくは７に記載の組成物の使用。
【請求項１０】
肥満症の治療用医薬品を製造するための、請求項１〜５のいずれかに記載の水和物又は請求項６若しくは７に記載の組成物の使用。
【手続補正書】
【提出日】平成20年7月1日(2008.7.1)
【手続補正１】
【補正対象書類名】特許請求の範囲
【補正対象項目名】全文
【補正方法】変更
【補正の内容】
【特許請求の範囲】
【請求項１】
抗ガン活性を有する鮫肉抽出物、および抗ガン活性を有するキノコ抽出物を含有する組成物であって、各抽出物が相乗的有効量で存在する組成物。
【請求項２】
キノコ抽出物がアガリクスなるキノコ（Agaricus blazei murrill）、マイタケ（Grifola frondosa）またはメシマコブ（Phellinus linteus）の抽出物である、請求項１記載の組成物。
【請求項３】
キノコ抽出物がメシマコブPhellinus linteusの抽出物である、請求項２記載の組成物。
【請求項４】
鮫肉抽出物およびキノコ抽出物の量が４：１〜２４：１の比率の範囲内にある、請求項１〜３のいずれか一項に記載の組成物。
【請求項５】
比率が約９：１である、請求項４記載の組成物。
【請求項６】
キノコ抽出物が、キノコのエタノール抽出によって調製された抽出物である、請求項１〜５のいずれか一項に記載の組成物。
【請求項７】
キノコ抽出物がβ−グルカンを実質的に含有しない、請求項６記載の組成物。
【請求項８】
キノコ抽出物が脂質を含有する、請求項６記載の組成物。
【請求項９】
最大量で存在する脂質がステロールである、請求項８記載の組成物。
【請求項１０】
鮫肉抽出物が、鮫肉のエタノール抽出によって調製された抽出物である、請求項１〜９のいずれか一項に記載の組成物。
【請求項１１】
鮫肉抽出物が、サメ、リグ（レモンフィッシュ）、ツノザメ、カイブツギンザメ、アオザメ、ヨシキリザメ、ギンザメ、ネズミザメおよびツマグロからなる群のいずれか１以上の肉の抽出物である、請求項１〜１０のいずれか一項に記載の組成物。
【請求項１２】
鮫肉抽出物およびキノコ抽出物を食用油と混合する、請求項１〜１１のいずれか一項に記載の組成物。
【請求項１３】
食用油がオリーブ油である、請求項１２記載の組成物。
【請求項１４】
経口または局所投与に向けて処方される、請求項１〜１３のいずれか一項に記載の組成物。
【請求項１５】
局所投与のための軟膏またはクリーム剤として処方される、請求項１４記載の組成物。
【請求項１６】
経口投与のためのカプセル剤で処方される、請求項１４記載の組成物。
【請求項１７】
ガンを予防または治療する方法であって、対象者に、それぞれ相乗的有効量で存在する、抗ガン活性を有する鮫肉抽出物と、抗ガン活性を有するキノコ抽出物とを含有する、有効量の組成物を投与することを含む方法。
【請求項１８】
ガンが黒色腫である、請求項１７記載の方法。
【請求項１９】
ガンが肺ガンである、請求項１７記載の方法。
【請求項２０】
それぞれ相乗的有効量で存在する、抗ガン活性を有する鮫肉抽出物と、抗ガン活性を有するキノコ抽出物とを含有する組成物の使用であって、ガンを予防または治療する医薬を製造するための使用。
【請求項２１】
ガンが黒色腫である、請求項２０記載の使用。
【請求項２２】
ガンが肺ガンである、請求項２０記載の使用。
【手続補正書】
【提出日】平成20年6月5日(2008.6.5)
【手続補正１】
【補正対象書類名】特許請求の範囲
【補正対象項目名】全文
【補正方法】変更
【補正の内容】
【特許請求の範囲】
【請求項１】
取引を処理するための装置であって、
ａ）ウィンドウを有する固定ワークステーションと、
ｂ）該ワークステーション内に取り付けられた電気光学読取り装置であって、該ウィンドウを通して複数の走査線としてレーザビームを投射し、該複数の走査線のうちの少なくとも一つが該ウィンドウに提示された取引に関連した一次元記号の少なくとも一部を横切って掃引されるときにおいて該一次元記号を電気光学的に読取ることにより、取引信号を生成する電気光学読取り装置と、
ｃ）該ワークステーションに取り付けられた二次元固体イメージャであって、該ワークステーションにおいて二次元ターゲットからの光をキャプチャすることにより、イメージ信号を生成し、該ターゲットは非記号ターゲットを含む、二次元固体イメージャと、
ｄ）該記号と該非記号ターゲットとを識別し、該取引信号と該イメージ信号とを別々に処理する処理回路と
を備える、装置。
【請求項２】
前記イメージャは、前記ウィンドウの後ろに位置する、請求項１に記載の装置。
【請求項３】
前記ウィンドウは水平面内に位置しており、前記ワークステーションは該水平面と交差する平面に置かれた直立ウィンドウを有しており、前記イメージャは該ウィンドウのうちの１つの後ろに位置する、請求項１に記載の装置。
【請求項４】
前記イメージャは、二次元電荷結合素子（ＣＣＤ）アレイを含む、請求項１に記載の装置。
【請求項５】
前記イメージャは、１００マイクロ秒未満の期間において前記ターゲットを照明する照明器を含んでおり、該イメージャは該期間中のみにおいて光をキャプチャする、請求項１に記載の装置。
【請求項６】
前記取引は、前記ウィンドウを通過する製品の購入であり、前記非記号ターゲットは、購入される製品の支払いのために消費者によって提示されるパーソナルチェックとカードとのうちの一つである、請求項１に記載の装置。
【請求項７】
前記非記号ターゲットはまた、サインと、運転免許証と、消費者とのうちの一つである、請求項６に記載の装置。
【請求項８】
前記取引は、オペレータにより前記ウィンドウを通過する製品の購入であり、前記非記号ターゲットは、オペレータである、請求項６に記載の装置。
【請求項９】
前記処理回路は、自動識別装置と、前記読取り装置および前記イメージャに動作可能に接続された共通のプロセッサであって、前記取引信号をデコードし、前記イメージ信号をリモートホストへとルーティングする共通のプロセッサとを含む、請求項１に記載の装置。
【請求項１０】
前記処理回路は、自動識別装置と、前記イメージ信号を格納するメモリとを含む、請求項１に記載の装置。
【請求項１１】
前記イメージャは、オペレータによってマニュアルで駆動される、請求項１に記載の装置。
【請求項１２】
前記イメージャは、自動的に駆動される、請求項１に記載の装置。
【請求項１３】
取引を処理する方法であって、
ａ）固定ワークステーションにウィンドウを取り付けるステップと、
ｂ）該ウィンドウを通して複数の走査線としてレーザビームを投射し、該複数の走査線のうちの少なくとも一つが該ウィンドウに提示された取引に関連した一次元記号の少なくとも一部を横切って掃引されるときにおいて該一次元記号を電気光学的に読取ることにより、取引信号を生成するステップと、
ｃ）該ワークステーションに取り付けられた二次元固体イメージャを用いて、該ワークステーションにおいて二次元ターゲットからの光をキャプチャすることにより、イメージ信号を生成するステップであって、該ターゲットは非記号ターゲットを含む、ステップと、
ｄ）該記号と該非記号ターゲットとを識別し、該取引信号と該イメージ信号とを別々に処理するステップと
を包含する、方法。
【請求項１４】
前記イメージャを前記ウィンドウの後ろに位置させる、請求項１３に記載の方法。
【請求項１５】
１００マイクロ秒未満の期間において前記非記号ターゲットを照明し、
前記キャプチャするステップは該期間中のみにおいて光をキャプチャすることによって実行される、請求項１３に記載の方法。
【請求項１６】
前記イメージャをマニュアルで駆動する、請求項１３に記載の方法。
【請求項１７】
前記イメージャを自動的に駆動する、請求項１３に記載の方法。
【請求項１８】
ビデオ監視の下での取引を処理するための装置であって、
ａ）ウィンドウを有する固定ワークステーションと、
ｂ）該ワークステーションに取り付けられた電気光学読取り装置であって、該電気工学読取り装置は、該ウィンドウを通して複数の走査線としてレーザビームを投射し、該複数の走査線のうちの少なくとも一つが、顧客により開始された取引であって、オペレータにより該ウィンドウに提示された取引に関連した印の少なくとも一部を横切って掃引されるときに、該印を電気光学的に読取る、電気光学読取り装置と、
ｃ）該ウィンドウの後ろにおいて該ワークステーションに取り付けられた二次元固体の隠されたイメージャであって、該オペレータのイメージをキャプチャすることにより、該取引が該ウィンドウに提示されたか否かを決定するイメージャと
を備える、装置。
【請求項１９】
前記ウィンドウは水平面内に位置しており、前記ワークステーションは該水平面と交差する平面に置かれた直立ウィンドウを有しており、前記イメージャは該ウィンドウのうちの１つの後ろに位置する、請求項１８に記載の装置。
【請求項２０】
前記イメージャは、二次元電荷結合素子（ＣＣＤ）アレイを含む、請求項１８に記載の装置。
【請求項２１】
前記イメージャは、１００マイクロ秒未満の期間において前記オペレータを照明する照明器を含んでおり、該イメージャは該期間中のみにおいて該オペレータのイメージをキャプチャする、請求項１８に記載の装置。
【請求項２２】
前記イメージャは、自動的に駆動される、請求項１８に記載の装置。
【請求項２３】
前記イメージャは継続的に作動されて、前記オペレータのイメージをキャプチャする、請求項１８に記載の装置。
【請求項２４】
前記イメージャはランダムに作動されて、前記オペレータのイメージをキャプチャする、請求項１８に記載の装置。
【手続補正書】
【提出日】平成20年5月21日(2008.5.21)
【手続補正１】
【補正対象書類名】特許請求の範囲
【補正対象項目名】全文
【補正方法】変更
【補正の内容】
【特許請求の範囲】
【請求項１】
膜内に与えられたチャネルを通過する時変電流を検出するための装置であって、
内部にチャネルが配置された膜と、
前記チャネルの両端間に電位差を確立し、前記チャネルを通してイオン電流を駆動するための電圧源と、
前記膜の電気的特性を測定するために配置された容量性検出電極と、
を備える装置。
【請求項２】
請求項１に記載の装置であって、
槽と、
前記槽から前記膜によって分離された検出ボリュームと、
を更に備える装置。
【請求項３】
請求項１に記載の装置であって、
前記イオン電流を決定するために前記容量性検出電極に結合された回路を、
更に備える装置。
【請求項４】
請求項１に記載の装置であって、前記チャネルが、イオン・チャネルと、タンパク質細孔と、ナノチャネルと、工作された開口とからなる群から選択される、装置。
【請求項５】
請求項１に記載の装置であって、前記チャネルが、２つの規定された導電状態を有する、装置。
【請求項６】
請求項１に記載の装置であって、前記膜が、両脂質又は流体の膜から形成される、装置。
【請求項７】
請求項１に記載の装置であって、前記膜が、固体を構成する、装置。
【請求項８】
請求項７に記載の装置であって、前記膜が、ポリカーボネートから形成される、装置。
【請求項９】
請求項７に記載の装置であって、前記膜が、ポリイミドから形成される、装置。
【請求項１０】
請求項２に記載の装置であって、前記電圧源が、前記槽内に配置された第１の電極と、前記検出ボリューム内に配置された第２の電極と、を更に備える、装置。
【請求項１１】
請求項１０に記載の装置であって、
前記槽内の第１の電解質と、
前記検出ボリューム内の第２の電解質と、
を更に備え、
前記第２の電極が、前記第２の電解質に容量結合され、抵抗性電流からの寄与が無視できるものである、装置。
【請求項１２】
請求項２に記載の装置であって、前記電圧源が、前記槽内に配置された第１の電極と、前記検出ボリューム内に配置された前記容量性検出電極と、を備える、装置。
【請求項１３】
請求項１に記載の装置であって、前記検出ボリュームが、約１ｍｍ未満の厚さを有する、装置。
【請求項１４】
請求項１に記載の装置であって、前記検出ボリュームが、約１μｍ未満の厚さを有する、装置。
【請求項１５】
請求項１に記載の装置であって、前記検出ボリュームが、約１０ｎｍ未満の厚さを有する、装置。
【請求項１６】
請求項１に記載の装置であって、基板を更に備え、前記膜が、前記基板上で支持される装置。
【請求項１７】
請求項１６に記載の装置であって、前記基板が、極めて薄い粘性膜と、親水性重合体と、柔軟な重合体クッションと、エアロゲルと、キセロゲルと、テザーとからなる群から選択される、装置。
【請求項１８】
請求項１６に記載の装置であって、前記基板が、貫通孔を備える固体表面を構成する、装置。
【請求項１９】
請求項１６に記載の装置であって、前記電圧源が、前記容量性検出電極の反対側の前記チャネルに直接隣接して配置された第１の電極を更に含む、装置。
【請求項２０】
請求項１に記載の装置であって、
駆動電圧を低レベルに維持して、前記チャネルを通過する前記イオン電流を最小化するための手段を、
更に備える装置。
【請求項２１】
請求項１に記載の装置であって、
所望期間にわたって最終的に増加する信号を有する駆動電流波形を印加することにより、前記チャネルの両端間に直流又は疑似直流の電圧を生成するための手段を、
更に備える装置。
【請求項２２】
請求項２に記載の装置であって、
前記検出ボリューム内の電圧の増加を相殺するために、前記電圧源の電圧の振幅を調節するための手段を、
更に備える装置。
【請求項２３】
槽と検出ボリュームの間に配置された膜内のチャネルを通過する時変電流の検出方法であって、
前記槽内に検体を配置するステップ、
前記チャネルの両端間に駆動電圧を印加するステップ、及び
容量性検出電極を用いて前記膜の電気的特性を測定するステップ、
を含む方法。
【請求項２４】
請求項２３に記載の方法であって、前記チャネルが、規定された導電性状態の間を確率的な挙動で切り換わる、方法。
【請求項２５】
請求項２３に記載の方法であって、
前記電圧の振幅を調節して、前記検出ボリューム内の電圧の増加を相殺するステップ、
を更に含む方法。
【請求項２６】
請求項２３に記載の方法であって、
前記駆動電圧を低レベルに維持して、前記チャネルを通過するイオン電流を最小化するステップ、
を更に含む方法。
【請求項２７】
請求項２３に記載の方法であって、
所望期間にわたって最終的に増加する信号を有する駆動電流波形を印加することにより、前記チャネルの両端間に直流又は疑似直流の電圧を生成するステップ、
を更に含む方法。
【手続補正書】
【提出日】平成20年5月27日(2008.5.27)
【手続補正１】
【補正対象書類名】特許請求の範囲
【補正対象項目名】全文
【補正方法】変更
【補正の内容】
【特許請求の範囲】
【請求項１】
レンズシャッターを有するカメラの電子フラッシュ回路であって、
フラッシュキャパシター、
前記フラッシュキャパシターにフラッシュ放電電圧を生成するフラッシュキャパシター充電回路、
ガス分子を封入する外囲容器内に入力電極の対を有するフラッシュ管、
前記フラッシュ管外囲容器に隣接するトリガー端子、
所望のフラッシュ照射時に閉じられるフラッシュトリガースイッチ、及び
前記フラッシュキャパシター及び前記フラッシュトリガースイッチと結合された入力並びにフラッシュ管端子と結合された出力を有する圧電変圧器、を有し、
前記変圧器は、前記フラッシュキャパシターの充電電圧に応答し、前記フラッシュトリガースイッチが閉じられると、前記フラッシュ管トリガー端子に、前記フラッシュ管内のガスをイオン化するために十分な高電圧を生成し、それにより前記フラッシュキャパシター電圧を前記フラッシュ管の前記入力端子を通じて放電することからフラッシュ照射を生じる、電子フラッシュ回路。
【請求項２】
前記フラッシュトリガースイッチは、カメラ制御回路から電子信号を受信し、且つ前記信号に応じて閉じるよう適応されたカプラーを有する、請求項１記載の回路。
【請求項３】
カメラの改良されたフラッシュ回路であって、
前記フラッシュ回路は、フラッシュキャパシター、前記フラッシュキャパシターにフラッシュ放電電圧を生成するフラッシュキャパシター充電回路、ガス分子を封入する外囲容器内に入力電極の対を有するフラッシュ管、前記フラッシュ管外囲容器に隣接するトリガー端子、及び所望のフラッシュ照射時に閉じられるフラッシュトリガースイッチ、を有する種類であり、
前記改良されたフラッシュ回路は、
前記フラッシュキャパシター及び前記フラッシュトリガースイッチと結合された入力並びにフラッシュ管端子と結合された出力を有する圧電変圧器、を有し、
前記変圧器は、前記フラッシュキャパシターの充電電圧に応答し、前記フラッシュトリガースイッチが閉じられると、前記フラッシュ管トリガー端子に、前記フラッシュ管内のガスをイオン化するために十分な高電圧を生成し、それにより前記フラッシュキャパシター電圧を前記フラッシュ管の前記入力端子を通じて放電することからフラッシュ照射を生じる、改良されたフラッシュ回路。
【手続補正書】
【提出日】平成20年9月30日(2008.9.30)
【手続補正１】
【補正対象書類名】特許請求の範囲
【補正対象項目名】全文
【補正方法】変更
【補正の内容】
【特許請求の範囲】
【請求項１】
実行中のアプリケーションに連動させながらデジタルストリームを再生する再生装置であって、
記録媒体に記録されているファイルと、リライタブル記録媒体に記録されているファイルを、前記リライタブル記録媒体に記録されている、前記記録媒体に組み合わせるためのファイルを示すマージ管理情報に従って組み合わせることにより、パッケージ情報を生成するパッケージ管理手段と、
前記パッケージ情報から、再生可能な複数のタイトルを検出し、そのうち1つをカレントタイトルとして選択する選択手段と、
前記カレントタイトルに関連するアプリケーションを実行するアプリケーション実行手段と、
前記パッケージ情報に含まれ、前記カレントタイトルにおいて示されるプレイリスト情報に従って、デジタルストリームの再生を制御する再生制御手段とを備え、
実行された前記アプリケーションが前記パッケージ管理手段に対し、新たなマージ管理情報を指定することにより、前記マージ管理情報の更新を要求した後、前記パッケージ管理手段は、前記パッケージ情報の更新を行う前に、前記新たに指定したマージ管理情報から参照されるファイルを読み取り専用属性に変更し、
前記選択手段によるカレントタイトルの変更により、前記デジタルストリームの再生が停止した時点で、前記パッケージ管理手段は、前記新たに指定したマージ管理情報に従って、前記記録媒体に記録されているファイルと、前記リライタブル記録媒体に記録されているファイルを組み合わせ、新たなパッケージ情報を生成する
ことを特徴とする再生装置。
【請求項２】
前記マージ管理情報が前記リライタブル記録媒体に存在しない場合、前記パッケージ管理手段は、前記記録媒体のみからパッケージ情報を生成する
請求項１記載の再生装置。
【請求項３】
前記パッケージ情報は、複数のデジタルストリームと、前記複数のデジタルストリームの再生順序を示すプレイリスト情報とを含み、
前記プレイリスト情報に示される再生順序に基づき、複数のデジタルストリームの再生は行われ、
前記選択手段によるカレントタイトルの変更とは、
前記プレイリスト情報に基づくデジタルストリームの再生と、前記デジタルストリームに連動するアプリケーションの実行が終了した時点において、前記選択手段が、別のタイトルをカレントのタイトルとして選ぶ処理である
請求項１記載の再生装置。
【請求項４】
前記選択手段によるカレントタイトルの変更とは、
メニュー処理タイトルを呼び出す操作をユーザが実行した時点において、メニュー処理タイトルをカレントタイトルとして選択手段が選ぶ処理である
請求項１記載の再生装置。
【請求項５】
実行中のアプリケーションに連動させながらデジタルストリームを再生する再生方法であって、
記録媒体に記録されているファイルと、リライタブル記録媒体に記録されているファイルを、前記リライタブル記録媒体に記録されている、前記記録媒体に組み合わせるためのファイルを示すマージ管理情報に従って組み合わせることにより、パッケージ情報を生成するパッケージ情報生成ステップと、
前記パッケージ情報から、再生可能な複数のタイトルを検出し、そのうち1つをカレントタイトルとして選択する選択ステップと、
前記カレントタイトルに関連するアプリケーションを実行するアプリケーション実行ステップと、
前記パッケージ情報に含まれ、前記カレントタイトルにおいて示されるプレイリスト情報に従って、デジタルストリームの再生を制御する再生制御ステップとを備え、
実行された前記アプリケーションが新たなマージ管理情報を指定することにより、前記マージ管理情報の更新を要求した後、前記パッケージ情報の更新を行う前に、前記新たに指定したマージ管理情報から参照されるファイルは、読み取り専用属性に変更され、
前記選択ステップにおけるカレントタイトルの変更により、前記デジタルストリームの再生が停止した時点で、前記パッケージ情報生成ステップにおいて、前記新たに指定したマージ管理情報に従って、前記記録媒体に記録されているファイルと、前記リライタブル記録媒体に記録されているファイルを組み合わせ、新たなパッケージ情報が生成される
ことを特徴とする再生方法。
【請求項６】
実行中のアプリケーションに連動させながらデジタルストリームの再生をコンピュータに実行させるための再生プログラムであって、
記録媒体に記録されているファイルと、リライタブル記録媒体に記録されているファイルを、前記リライタブル記録媒体に記録されている、前記記録媒体に組み合わせるためのファイルを示すマージ管理情報に従って組み合わせることにより、パッケージ情報を生成するパッケージ情報生成ステップと、
前記パッケージ情報から、再生可能な複数のタイトルを検出し、そのうち1つをカレントタイトルとして選択する選択ステップと、
前記カレントタイトルに関連するアプリケーションを実行するアプリケーション実行ステップと、
前記パッケージ情報に含まれ、前記カレントタイトルにおいて示されるプレイリスト情報に従って、デジタルストリームの再生を制御する再生制御ステップとを備え、
実行された前記アプリケーションが新たなマージ管理情報を指定することにより、前記マージ管理情報の更新を要求した後、前記パッケージ情報の更新を行う前に、前記新たに指定したマージ管理情報から参照されるファイルは、読み取り専用属性に変更され、前記選択ステップにおけるカレントタイトルの変更により、前記デジタルストリームの再生が停止した時点で、前記パッケージ情報生成ステップにおいて、前記新たに指定したマージ管理情報に従って、前記記録媒体に記録されているファイルと、前記リライタブル記録媒体に記録されているファイルを組み合わせ、新たなパッケージ情報が生成される
ことを特徴とする再生プログラム。
【手続補正２】
【補正対象書類名】明細書
【補正対象項目名】発明の名称
【補正方法】変更
【補正の内容】
【発明の名称】アプリケーション連動再生を行う再生装置、再生方法、及び再生プログラム
【手続補正書】
【提出日】平成20年7月15日(2008.7.15)
【手続補正１】
【補正対象書類名】特許請求の範囲
【補正対象項目名】全文
【補正方法】変更
【補正の内容】
【特許請求の範囲】
【請求項１】
制御点を通る乗客を処理する乗客処理システムであって、この乗客処理システムが、
乗客を先入れ先出しに基づいて制御点に通して処理する第１の列と、
乗客を先入れ先出しに基づかないで処理する第２の列と、
選択時間において第１の列にいる乗客の人数に関連する予測列ロードを決定し、これにより第２の列において乗客の割り当てに利用しうる空き数を決定するようにするアルゴリズムと
を有する乗客処理システム。
【請求項２】
請求項１に記載の乗客処理システムにおいて、第２の列で利用しうる空き数の決定を、第１の列におけるロード状況によってのみ決定するようにした乗客処理システム。
【請求項３】
請求項１に記載の乗客処理システムにおいて、第２の列に対する利用可能性は、航空会社のサービスクラスに対する乗客の状況によって決定されないようにした乗客処理システム。
【請求項４】
請求項１に記載の乗客処理システムにおいて、第２の列に対する利用可能性は、
航空会社のサービスクラスに対する乗客の状況と、
空港を利用する１つ以上のフライトの飛行時間の遅延と、
空港を利用する他のフライトの欠航と、
空港における警備要素と、
空港におけるスタッフの配置状況と、
フライトの日付と、
フライトの時間と、
当該フライトに対する乗客数と、
他のフライトに対する乗客数と、
手荷物の取り扱い状況と
を含む特性のうちの少なくとも１つにより決定するようにした乗客処理システム。
【請求項５】
請求項１に記載の乗客処理システムにおいて、第２の列に対する乗客を生体的な特徴により認識するようにした乗客処理システム。
【請求項６】
請求項１に記載の乗客処理システムにおいて、この乗客処理システムが、第２の列を用いるように計画された乗客に対する状況及び日程を制御するようにプログラミングするマスタコントローラとの通信システムを含み、これにより第２の列の状態又は変更に関する状態情報を第２の列の乗客に伝達しうるようになっている乗客処理システム。
【請求項７】
請求項１に記載の乗客処理システムにおいて、手荷物又は人の安全検査領域を検査又は受け持つ従業員を、手荷物又は人に対する乗客セキュリティチェックポイントに割り当てる必要がある時を、乗客の予測戻り時間に基づいて、前記アルゴリズムにより動的に決定するようにした乗客処理システム。
【請求項８】
請求項１に記載の乗客処理システムにおいて、この乗客処理システムが、選択したユーザプロフィールを記憶する手段を有し、マスタコントローラが第２の列に対する多数の要求を入れたデータベースに質問を発するようになっているとともに、ターミナル情報と乗客に対し割り当てられた戻り時間とを得る手段を有しており、更に乗客の要求が不所望なユーザプロフィールと一致すると、保安要員に通知する手段を有している乗客処理システム。
【請求項９】
請求項８に記載の乗客処理システムにおいて、この乗客処理システムが、実質的に同じ時間窓で第２の列に対する複数の要求を乗客が発するようにする手段を有している乗客処理システム。
【請求項１０】
請求項８に記載の乗客処理システムにおいて、この乗客処理システムが、複数の航空会社に対し第２の列に対する複数の要求を乗客が発するようにする手段を有している乗客処理システム。
【手続補正書】
【提出日】平成20年7月17日(2008.7.17)
【手続補正１】
【補正対象書類名】特許請求の範囲
【補正対象項目名】全文
【補正方法】変更
【補正の内容】
【特許請求の範囲】
【請求項１】
共焦点蛍光顕微鏡用の装置であって、当該装置が、
標的上の照射領域に励起光を与える１以上の光源と、
標的からの蛍光発光を検出する１以上の検出器と
を備えており、
上記１以上の光源が、標的の直線部分を照射する線形成手段を含んでおり、
上記１以上の検出器が、蛍光発光のランダムアクセス読出しが可能であり、上記１以上の検出器の検出領域が標的の直線部分の照射領域と光学的に共役しているとともに照射領域の走査と同期して移動する、装置。
【請求項２】
前記１以上の光源が、レーザー、レーザーダイオード、発光ダイオード、ランプ及びこれらの組合せからなる群から選択される、請求項１記載の装置。
【請求項３】
前記光源が２以上のレーザーを含む、請求項２記載の装置。
【請求項４】
前記複数のレーザの発光波長が異なる、請求項３記載の装置。
【請求項５】
前記１以上の検出器手段が、二次元画素の独立したリセット及び読出しが可能な１以上の二次元画素ベース受光器を備える、請求項１記載の装置。
【請求項６】
前記１以上の検出器がＣＭＯＳ検出器を備える、請求項５記載の装置。
【請求項７】
前記線形成手段が、パウエルレンズ、シリンドリカルレンズ、回折格子、ホログラフィック素子及びこれらの組合せからなる群から選択される、請求項１記載の装置。
【請求項８】
前記線形成手段が、１以上のビーム偏向素子によって標的の全域を移動する光の線を標的上に生じる、請求項１記載の装置。
【請求項９】
前記放射が２以上の光源から発せられ、１以上の光源からの放射線が、光シャッターを備える分散プリズム、光シャッターを備える反射格子、光シャッターを備えるダイクロイックミラー、光ファイバスイッチ及び回転ミラーからなる群から選択される光学選択素子による標的の照射と結合している、請求項２記載の装置。
【請求項１０】
前記検出器がローリングシャッタ手段を備えたＣＭＯＳ検出器である、請求項６記載の装置。
【請求項１１】
前記ローリングシャッタ手段が標的上の直線の像の幅以下の幅を有する、請求項１０記載の装置。
【請求項１２】
前記ローリングシャッタ手段が標的上の直線と光学的に共役している、請求項１１記載の装置。
【請求項１３】
標的の画像を得る方法であって、
標的上の照射領域に励起光を与える１以上の光源を準備する段階と、
標的の励起波長に相当する波長の励起光で標的を走査する段階と、
上記励起光が標的を横断する際の蛍光発光を収集する段階と、
上記１以上の光源に、標的の直線部分を照射する線形成手段を設ける段階と、
上記蛍光発光のランダムアクセス読出しが可能な１以上の検出器を準備する段階と、
上記標的の直線部分の照射領域と光学的に共役しているとともに照射領域の走査と同期して移動する上記１以上の検出器の検出領域を準備する段階と、
上記標的の画像を得る段階と
を含む方法。
【請求項１４】
前記１以上の検出器手段が、画素の独立したリセット及び読出しが可能な１以上の二次元画素ベース受光器を備える、請求項１３記載の方法。
【請求項１５】
１以上の蛍光マーカーで標識された１以上の標的を含む被写体の撮像方法であって、
（ａ）蛍光マーカーの吸収帯と少なくとも部分的に重なる発光スペクトルを有する１以上の光源から電磁放射線を放射する段階と、
（ｂ）直線、円又は矩形の形状を有し得る被写体上の照射領域の形状を制御するためビーム整形光学系を用いる段階と、
（ｃ）照射系と同一又は異なる光収集系を用いて、被写体の照射領域内に位置する蛍光マーカーからの蛍光発光を収集する段階と、
（ｄ）撮像領域と光学的に共役な位置での画素の独立したリセット及び読出しが可能な１以上の二次元画素ベース検出器を配置する段階と、
（ｅ）光学検出器内の検出領域の形状及び大きさを、被写体の照射領域と光学的に共役な像と同一又はそれ以下に調節する段階と、
（ｆ）検出領域内に位置する画素からの信号を読取ることによって検出器の検出領域に届いた蛍光発光を検出する段階と、
（ｇ）検出器の検出領域外に位置し、照射領域と光学的に共役していない検出器の画素をリセットする段階と、
（ｈ）ビーム走査系を用いて被写体の撮像領域内の照射領域を走査する段階と、
（ｉ）検出器の検出領域を移動し、光学検出器の画素へのランダムアクセスを用いて照射領域との光学的共役を維持する段階と、
（ｊ）撮像領域上での照射領域の走査時に得られる受光器の検出領域からの信号（部分像）から被写体の撮像領域の像を形成する段階と、
（ｋ）複数の光源での逐次的画像収集のため複数の光源について段階（ａ）から当該方法を繰り返す段階と、
（ｌ）標的の画像を得る段階と
を含んでなる方法。
【手続補正書】
【提出日】平成20年6月5日(2008.6.5)
【手続補正１】
【補正対象書類名】特許請求の範囲
【補正対象項目名】全文
【補正方法】変更
【補正の内容】
【特許請求の範囲】
【請求項１】
周辺光の範囲にわたってインディシアを読み取る電気光学的なリーダの性能を改善する装置であって、
ａ）周辺光の付随的な収集とともに該インディシアから光を収集して、収集された光の強度に比例するセンサ信号を生成するセンサと、
ｂ）該センサに接続された増幅器入力を有する増幅器であって、該センサ信号を増幅して、該収集された光の強度に比例する出力増幅信号を増幅器出力において生成するように動作可能な増幅器と、
ｃ）該増幅器入力と該増幅器出力とをまたいで接続された抵抗器であって、該増幅器を駆動させて高い強度の周辺光において飽和させるのに十分な高いゲインを該増幅器に与える抵抗器と、
ｄ）該増幅器入力と該増幅器出力とをまたいで接続されたオフセット調整回路であって、該オフセット調整回路は、該高いゲインを低減せずに高い強度の周辺光における該増幅器の飽和を防ぎ、該オフセット調整回路は、該増幅器出力に接続されたゲート端子と、該増幅器入力に接続されたソース端子と、電圧源に接続されたドレイン端末とを有する電界効果トランジスタ（ＦＥＴ）を含み、該ＦＥＴは、該出力増幅信号によって制御され該出力増幅信号に反比例する可変抵抗を有する可変抵抗器として機能し、該抵抗は、該出力増幅信号が高い強度の周辺光で増加するときに、該増幅器入力において減少することにより、該増幅器を飽和から遠ざけるように駆動させる、オフセット調整回路と、
ｅ）該ＦＥＴの該ドレイン端子に接続されたフィルタ回路であって、該電圧源からの高周波数ノイズが該増幅器入力に到達しないようにフィルタ除去するフィルタ回路と
を備える、装置。
【請求項２】
前記センサは、前記センサ信号を電流信号として生成する光ダイオードである、請求項１に記載の装置。
【請求項３】
前記増幅器は、前記出力増幅信号を電圧信号として生成するトランスインピーダンス増幅器である、請求項２に記載の装置。
【請求項４】
前記トランスインピーダンス増幅器は、リファレンス電圧が印加される非反転入力を有し、前記増幅器入力は、反転入力である、請求項３に記載の装置。
【請求項５】
前記反転入力と前記増幅器出力とをまたいで接続されたフィードバックコンデンサを備えている、請求項４に記載の装置。
【請求項６】
前記ゲート端子に接続された別のフィルタ回路であって、増幅された出力信号から前記高周波数ノイズをフィルタ除去する別のフィルタ回路を備えている、請求項１に記載の装置。
【請求項７】
周辺光の範囲にわたるインディシアの電気光学的な読み取りを改善する方法であって、
ａ）周辺光の付随的な収集とともに該インディシアから光を収集して、収集された光の強度に比例するセンサ信号を生成するステップと、
ｂ）増幅器を用いて増幅器入力において該センサ信号を増幅して、増幅器出力において該収集された光の強度に比例する出力増幅信号を生成するステップと、
ｃ）抵抗器を該増幅器入力と該増幅器出力とをまたいで接続することによって、該増幅器を駆動させて高い強度の周辺光において飽和させるのに十分な高いゲインを該増幅器に与えるステップと、
ｄ）該出力増幅信号による該増幅器入力における抵抗の逆制御により、該高いゲインを低減せずに高い強度の周辺光における該増幅器の飽和を防ぐステップであって、該抵抗は、該出力増幅信号が高い強度の周辺光で増加するときに、該増幅器入力において減少することにより、該増幅器を飽和から遠ざけるように駆動させ、該制御するステップは、電界効果トランジスタ（ＦＥＴ）のゲート端子を該増幅器出力に接続することと、該ＦＥＴのソース端子を該増幅器入力に接続することと、該ＦＥＴのドレイン端子を電圧源に接続することとによって実行される、ステップと、
ｅ）該電圧源からの高周波数ノイズが該増幅器入力に到達しないようにフィルタ除去するために、該ＦＥＴの該ドレイン端子にフィルタ回路を接続するステップと
を包含する、方法。
【請求項８】
増幅された出力信号から前記高周波数ノイズをフィルタ除去するために、前記ゲート端子に別のフィルタ回路を接続するステップを包含する、請求項７に記載の方法。
【手続補正書】
【提出日】平成20年6月4日(2008.6.4)
【手続補正１】
【補正対象書類名】特許請求の範囲
【補正対象項目名】全文
【補正方法】変更
【補正の内容】
【特許請求の範囲】
【請求項１】
インディシアを読み取るための電気光学読取器におけるレーザパワー制御装置であって、
ａ）出力パワーを有するレーザビームを生成するためのレーザと、
ｂ）可動走査構成部品と、
ｃ）走査線を用いて、該インディシアを横切って該レーザビームを走査するための該走査構成部品を動かすための駆動部と、
ｄ）該読取器の動作状態をモニタし、かつ該動作状態が所定の状態でないときに読取器の誤動作を検出するためのモニタと、
ｅ）該読取器の誤動作の検出時に該レーザの該出力パワーを制御し、かつ該インディシアが正常に読み取られたことの視覚的表示としての役割を果たすために、該インディシアが読み取られた後に該インディシア上に該走査線を点滅させるために該レーザを繰り返し不活性化および活性化するためのコントローラと
を備える、装置。
【請求項２】
前記コントローラは、前記レーザ動作状態が所定の設定でないときには、該レーザを不活性化するように動作可能である、請求項１に記載の装置。
【請求項３】
前記レーザに対する前記所定の設定は、レーザ電流レベルの範囲およびレーザパワーレベルの範囲のうちの一つであり、かつ前記コントローラは、前記レーザ動作状態が該範囲のうちの一つの外にあるときには、該レーザを不活性化するように動作可能である、請求項２に記載の装置。
【請求項４】
インディシアを読み取るための電気光学読取器におけるレーザパワー制御方法であって、
ａ）レーザを用いて、出力パワーを有するレーザビームを生成するステップと、
ｂ）走査線を用いて、該インディシアを横切る該レーザビームを走査するステップと、
ｃ）該読取器の動作状態をモニタし、かつ該動作状態が所定の状態と異なるときに読取器の誤動作を検出するステップと、
ｄ）該読取器の誤動作を検出時に該レーザの該出力パワーを制御するステップと、
ｅ）該インディシアが正常に読み取られたことの視覚的表示としての役割を果たすために、該インディシアが読み取られた後に該インディシア上に該走査線を点滅させるために該レーザを繰り返し不活性化および活性化するステップと
を包含する、方法。
【請求項５】
前記制御するステップは、前記レーザ動作状態が所定の設定でないときに前記レーザを不活性化することによって行われる、請求項４に記載の方法。
【請求項６】
インディシアを読み取るための電気光学読取器におけるレーザ出力制御装置であって、
ａ）出力パワーを有するレーザビームを生成するためのレーザダイオードと、モニタフォトダイオードとを含むレーザと、
ｂ）該フォトダイオードの動作状態をモニタし、かつ該フォトダイオードの動作状態が所定の状態と異なるときレーザダイオード誤動作を検出するためのモニタと、
ｃ）該フォトダイオード動作状態が所定の設定でないとき該レーザダイオードを不活性化することによる該レーザダイオードの誤動作の検出時に該レーザダイオードの該出力パワーを制御するためのコントローラと
を備えている、装置。
【請求項７】
インディシアを読み取るための電気光学読取器におけるレーザ出力制御方法であって、
ａ）レーザダイオードとモニタフォトダイオードとに含まれるレーザを用いて出力パワーを有するレーザビームを生成するステップと、
ｂ）該モニタフォトダイオードの動作状態をモニタし、かつ該フォトダイオードの動作状態が所定の状態と異なるときレーザダイオードの誤動作を検出するステップと、
ｃ）該フォトダイオードの動作状態が所定の設定と異なるときの該レーザダイオードを不活性化することによる該レーザダイオードの誤動作の検出時に、該レーザダイオードの該出力パワーを制御するステップと
を包含する、方法。
【請求項８】
インディシアを読み取るための電気光学読取器におけるレーザ出力制御装置であって、
ａ）出力パワーを有するレーザビームを生成するためのレーザと、
ｂ）該読取器の動作状態の温度をモニタし、かつ該温度動作状態が所定の状態と異なるときにレーザの誤動作を検出するためのモニタと、
ｃ）該温度動作状態が所定の設定ではないときの該レーザを不活性化することによる該レーザの誤動作の検出時に、該レーザの該出力パワーを制御するためのコントローラと
を備えている、装置。
【請求項９】
インディシアを読み取るための電気光学読取器におけるレーザ出力制御方法であって、
ａ）レーザを用いて、出力パワーを有するレーザビームを生成するステップと、
ｂ）該読取器の温度の動作状態をモニタし、かつ該温度動作状態が所定の状態と異なるときレーザの誤動作を検出するステップと、
ｃ）該温度動作状態が所定の設定ではないときの該レーザを不活性化することによる該レーザ誤動作の検出時に、該レーザの該出力パワーを制御するステップと
を包含する、方法。
【手続補正書】
【提出日】平成20年5月12日(2008.5.12)
【手続補正１】
【補正対象書類名】特許請求の範囲
【補正対象項目名】全文
【補正方法】変更
【補正の内容】
【特許請求の範囲】
【請求項１】
コントローラと不揮発性メモリアレイとを備えたメモリシステムに適応性のある方法でデータ部分を格納する方法において、前記コントローラが、
前記不揮発性メモリアレイ内のファイルアロケーションテーブルまたはディレクトリ内の、ホストによって格納された情報から論理アドレス範囲の属性を取得するステップと、  前記論理アドレス範囲内に論理アドレスを含むデータ部分のための複数の格納方式のなかから、前記論理アドレス範囲の属性に従って格納方式を選択し、
前記選択された格納方式に従って前記データ部分を格納するステップと、
を備える方法。
【請求項２】
請求項１記載のデータ部分を格納する方法において、
前記論理アドレス範囲の属性は、前記論理アドレス範囲がホストデータの格納を行うための次の未使用の論理アドレス範囲である属性となる方法。
【請求項３】
請求項２記載のデータ部分を格納する方法において、
前記選択された格納方式は、シーケンシャルな更新ブロックでの前記データ部分の格納を含む方法。
【請求項４】
請求項１記載のデータ部分を格納する方法において、
前記論理アドレス範囲の属性は、前記論理アドレス範囲がホストデータの格納を行うための次の未使用の論理アドレス範囲ではない属性となる方法。
【請求項５】
請求項４記載のデータ部分を格納する方法において、
前記選択された格納方式は、カオス更新ブロックでの前記データ部分の格納を含む方法。
【請求項６】
請求項１記載のデータ部分を格納する方法において、
前記データ部分が前記不揮発性メモリアレイ内の第１の記憶位置に以前に格納され、前記論理アドレス範囲の属性は、前記論理アドレス範囲が前記ホストによって割り当てられる属性であり、前記選択された格納方式が、第１の記憶位置から第２の記憶位置へ前記データ部分を前記不揮発性メモリアレイにコピーすることを含む方法。
【請求項７】
請求項６記載のデータ部分を格納する方法において、
前記データ部分が前記不揮発性メモリアレイ内の第１の記憶位置に以前に格納されたものであり、前記論理アドレス範囲の属性は、前記論理アドレス範囲が前記ホストによって割り当てられる属性であり、前記選択された格納方式が、前記第１の記憶位置から第２の記憶位置へ前記データ部分をコピーすることなく、前記第１の記憶位置において前記データ部分の保守管理を行う方法。
【請求項８】
請求項１記載のデータ部分を格納する方法において、
前記属性は、前記ファイルアロケーションテーブルまたはディレクトリから導き出されたデータ属性格納部から取得される方法。